(57)【要約】      （修正有）【課題】長手方向に隣接する形材同士の挿入部の位置に誤差が生じていても容易にジョイントピンが挿入でき、長手方向に統一感を失うことなく安定した連結が可能な建築用化粧材のジョイントピンを提供する。【解決手段】建築用化粧材を建物躯体側又は取付下地に水平又は垂直方向に連続して配置するためのジョイントピン１０であって、本体部１１と、本体部１１の両端が先端側に縮小する対のテーパ部１２ａ、１２ｂとからなり、本体部１１の一部に螺旋突条１３を設け、隣接する建築用化粧材間に挿入されている。【選択図】図１
0003213176.tif 000002
【実用新案登録請求の範囲】
【請求項１】
建築用化粧材を建物躯体側又は取付下地に水平又は垂直方向に連続して配置するためのジョイントピンにおいて、
前記ジョイントピンは、本体部と、
前記本体部の両端が先端側に縮小する対のテーパ部とからなり、
前記本体部の一部に螺旋突条を設け、隣接する前記建築用化粧材間に挿入されていることを特徴とする、建築用化粧材のジョイントピン。
【請求項２】
建築用化粧材を建物躯体側又は取付下地の上下に対向する取付部材に両端部を固定して配置するためのジョイントピンにおいて、
前記ジョイントピンは、本体部と、
前記本体部の両端が先端側に縮小する対のテーパ部とからなり、
前記本体部の一部に螺旋突条を設け、前記建築用化粧材又は前記取付部材間に挿入されていることを特徴とする、建築用化粧材のジョイントピン。
【請求項３】
前記螺旋突条は、一方の前記テーパ部寄りに形成されていることを特徴とする、請求項１又は２に記載の建築用化粧材のジョイントピン。
【請求項４】
前記ジョイントピンは、一方の前記テーパ部側から前記建築用化粧材のビスホールに打ち込んで挿入し、隣接する前記建築用化粧材間に所定の間隔を設けて配置することを特徴とする、請求項１又は３に記載の建築用化粧材ジョイントピン。
【請求項５】
前記ジョイントピンは、他方の前記テーパ部側から前記建築用化粧材又は前記取付部材のビスホールに打ち込んで挿入し、隣接する前記建築用化粧材間又は前記建築用化粧材と前記取付部材間に当接又は近接して配置することを特徴とする、請求項１乃至３の何れか一項に記載の建築用化粧材のジョイントピン。
【考案の詳細な説明】
【技術分野】
【０００１】
本考案は、建築用化粧材同士等を容易に連結するジョイントピンに関するものである。
【背景技術】
【０００２】
従来、同じ形材同士を長手方向に安定した連結作用により接続するために、例えば、特許文献１に記載されたような構造がある。すなわち、特許文献１には、カーテンボックスに条設したビスポートに対して挿入可能になり、且つビスポートのスリットに対して回動方向に係合する側条からなる回り止め手段を構成した主軸部の中央部に少なくとも１個の小突起を突設したカーテンボックス用ジョイントピンが開示されている。
【先行技術文献】
【特許文献】
【０００３】
【特許文献１】実用新案出願公告平５−２１４５号公報
【考案の概要】
【考案が解決しようとする課題】
【０００４】
しかし、上記したようなジョイントピンでは、ビスポートのスリットに対して側条からなる回り止め手段を係合しなければならず、同じ形材同士であるカーテンボックスのスリット位置の相違によりジョイントピンが挿入されないなどの問題があった。
【０００５】
そこで、本考案は、長手方向に隣接する形材同士の挿入部の位置に誤差が生じていても容易にジョイントピンが挿入でき、長手方向に統一感を失うことなく安定した連結が可能な建築用化粧材のジョイントピンを提供することを課題とする。
【課題を解決するための手段】
【０００６】
本考案は、上記した課題を解決するためになされたものであり、以下を特徴とする。
請求項１に記載の考案は、建築用化粧材を建物躯体側又は取付下地に水平又は垂直方向に連続して配置するためのジョイントピンにおいて、前記ジョイントピンは、本体部と、前記本体部の両端が先端側に縮小する対のテーパ部とからなり、前記本体部の一部に螺旋突条を設け、隣接する前記建築用化粧材間に挿入されていることを特徴とする。
【０００７】
請求項２に記載の考案は、建築用化粧材を建物躯体側又は取付下地の上下に対向する取付部材に両端部を固定して配置するためのジョイントピンにおいて、前記ジョイントピンは、本体部と、前記本体部の両端が先端側に縮小する対のテーパ部とからなり、前記本体部の一部に螺旋突条を設け、前記建築用化粧材又は前記取付部材間に挿入されていることを特徴とする。
【０００８】
請求項３に記載の考案は、請求項１又は２に記載の考案の特徴点に加え、前記螺旋突条は、一方の前記テーパ部寄りに形成されていることを特徴とする。
【０００９】
請求項４に記載の考案は、請求項１又は３に記載の考案の特徴点に加え、前記ジョイントピンは、一方の前記テーパ部側から前記建築用化粧材のビスホールに打ち込んで挿入し、隣接する前記建築用化粧材間に所定の間隔を設けて配置することを特徴とする。
【００１０】
請求項５に記載の考案は、請求項１乃至３の何れか一項に記載の考案の特徴点に加え、前記ジョイントピンは、他方の前記テーパ部側から前記建築用化粧材又は前記取付部材のビスホールに打ち込んで挿入し、隣接する前記建築用化粧材間又は前記建築用化粧材と前記取付部材間に当接又は近接して配置することを特徴とする。
【考案の効果】
【００１１】
請求項１記載の考案は上記の通りであり、建築用化粧材を建物躯体側又は取付下地に水平又は垂直方向に連続して配置するためのジョイントピンにおいて、ジョイントピンは、本体部と、本体部の両端が先端側に縮小する対のテーパ部とからなり、本体部の一部に螺旋突条を設け、隣接する建築用化粧材間に挿入されているため、挿入時に先端のテーパ部がガイドになり、ジョイントピンが建築用化粧材へスムーズに挿入される。さらに、本体部の一部に形成された螺旋突条が全周にあるため、建築用化粧材の挿入部に対してジョイントピンの向きに関係なく圧入又は螺入されてジョイントピンが固定され、固定されたジョイントピンにより隣接する建築用化粧材間の挿入部の位置に誤差が生じていても、スムーズに挿入でき、作業が容易にできる。
【００１２】
請求項２に記載の考案は上記の通りであり、建築用化粧材を建物躯体側又は取付下地の上下に対向する取付部材に両端部を固定する配置するためのジョイントピンにおいて、ジョイントピンは、本体部と、本体部の両端が先端側に縮小する対のテーパ部とからなり、本体部の一部に螺旋突条を設け、建築用化粧材又は取付部材間に挿入されているため、挿入時に先端のテーパ部がガイドになり、ジョイントピンが建築用化粧材又は取付部材へスムーズに挿入される。さらに、本体部の一部に形成された螺旋突条が全周にあるため、建築用化粧材又は取付部材の挿入部に対してジョイントピンの向きに関係なく圧入又は螺入されてジョイントピンが固定され、固定されたジョイントピンにより建築用化粧材と取付部材間の挿入部の位置に誤差が生じていても、スムーズに挿入でき、作業が容易にできる。
【００１３】
請求項３に記載の考案は上記の通りであり、螺旋突条は、一方の前記テーパ部寄りに形成されているため、使用用途により挿入方向を変更することで建築用化粧材を連続又は固定でき、作業性が良い。
【００１４】
請求項４に記載の考案は上記の通りであり、ジョイントピンは、一方のテーパ部側から建築用化粧材のビスホールに打ち込んで挿入し、隣接する建築用化粧材間に所定の間隔を設けて配置するため、隣接する建築用化粧材間を目違いすることなく所定の目地を均一に設けることができるので、位置決め等の作業性が良く、意匠の統一感を損なわない。
【００１５】
請求項５に記載の考案は上記の通りであり、ジョイントピンは、他方のテーパ部側から建築用化粧材又は取付部材のビスホールに打ち込んで挿入し、隣接する建築用化粧材間又は建築用化粧材と取付部材間に当接又は近接して配置するため、隣接する建築用化粧材間又は建築用化粧材と取付部材間を目違いすることなく、目地を設けない当接又は目地を僅かに設ける近接の位置に配置をすることができるので、位置決め等の作業性が良く、意匠の統一感を損なわない。
【図面の簡単な説明】
【００１６】
【図１】ジョイントピンの正面図である。
【図２】隣接する建築用化粧材間に目地を設けて建物躯体に配設した図である。
【図３】図２の建築用化粧材にジョイントピンを挿入する方法を示す図である。
【図４】隣接する建築用化粧材間を当接させて建物躯体に配設した図である。
【図５】図４の建築用化粧材にジョイントピンを挿入する方法を示す図である。
【図６】（ａ）は、建築用化粧材を異なる方法で建物躯体に配設した図、（ｂ）は、（ａ）の一部拡大図である。
【図７】図６の建築用化粧材にジョイントピンを挿入する方法を示す図である。
【考案を実施するための形態】
【００１７】
本考案の実施形態について、図を参照しつつ説明する。
【００１８】
本実施形態に係るジョイントピン１０は、例えば、長手方向に隣接する建築用化粧材２０間を接続するためのものである。このジョイントピン１０は、図１に示すように、本体部１１と、本体部１１の両端が先端側に縮小する対のテーパ部１２（一方のテーパ部１２ａ及び他方のテーパ部１２ｂ）と、本体部１１の一部に形成された螺旋突条１３と、を備えて構成される。このジョイントピン１０を、図２乃至図５に示すように、建築用化粧材２０（一方の建築用化粧材２０Ａ及び他方の建築用化粧材２０Ｂ）間を連結、あるいは図６及び図７に示すように、建築用化粧材２０の端部と取付部材４０を当接又は近接して使用されるものである。
【００１９】
ジョイントピン１０は、図２乃至図７に示すように、建築用化粧材２０又は取付部材４０のビスホール２１に挿入して使用する部材である。本実施形態に係るジョイントピン１０は、図１に示すように、円柱型の本体部１１と、本体部１１の一方の端部が先端側に縮小する円錐台型の一方のテーパ部１２ａと、本体部１１の他方の端部が先端側に縮小する円錐台型の他方のテーパ部１２ｂと、本体部１１の中央より一方のテーパ部１２ａ寄りの外周に形成された螺旋状の螺旋突条１３とで構成されている。この本体部１１と螺旋突条１３の外径及び建築用化粧材２０又は取付部材４０のビスホール２１の内径は、本体部１１＜ビスホール２１＜螺旋突条１３となっている。そのため、挿入したジョイントピン１０は、一方の建築用化粧材２０Ａのビスホール２１に螺旋突条１３が食い込んで圧入又は螺入され、他方の建築用化粧材２０Ｂ又は取付部材４０のビスホール２１に本体部１１が抜き差し可能になっていて位置決めがし易い。なお、本実施形態に係る建築用化粧材２０はルーバー材であるが、これに限らず、長手方向に連続又は位置決めする建築用化粧材に使用できる。
【００２０】
このテーパ部１２は、図１に示すように、ジョイントピン１０の両端部が先端側に向けて外径が小さくなる円錐台型になっているため、建築用化粧材２０又は取付部材４０のビスホール２１へ挿入する際のガイドになり、ジョイントピン１０をスムーズにビスホール２１の内部へ挿入することができる。
【００２１】
また、本体部１１の螺旋突条１３は、図１に示すように、本体部１１の中央より一方のテーパ部１２ａ寄りに形成されているため、一方のテーパ部１２ａと螺旋突条１３間又は他方のテーパ部１２ｂと螺旋突条１３間とでは、図１の左右方向において、一方のテーパ部１２ａと螺旋突条１３間の方が短く、他方のテーパ部１２ｂと螺旋突条１３間の方が長い構成となっている。これにより、図２に示すように、一方の建築用化粧材２０Ａと他方の建築用化粧材２０Ｂ間に所定の間隔（目地Ｓ）を設けた構成にしたり、図４に示すように、一方の建築用化粧材２０Ａと他方の建築用化粧材２０Ｂ間に間隔（目地Ｓ）を設けずに当接させた構成又は目地を僅かに設けて近接させた構成（図示せず）が同一のジョイントピン１０で行うことができる。
【００２２】
上記したようなジョイントピン１０に係る本実施形態においては、図２、図３に示すように、建物躯体３０側又は取付下地３０に水平又は垂直に取付けられた一方の建築用化粧材２０Ａのビスホール２１に、ジョイントピン１０の一方のテーパ部１２ａ側から挿入し、螺旋突条１３がビスホール２１に食い込むまで打ち込むことでビスホール２１の内部に圧入する。この状態から、他方の建築用化粧材２０Ｂのビスホール２１に、ジョイントピン１０の他方のテーパ部１２ｂ側を差し込み、所定の間隔（目地Ｓ）を設けた位置で建物躯体３０側又は取付下地３０に取付ける。これにより、隣接する一方の建築用化粧材２０Ａ及び他方の建築用化粧材２０Ｂ間には、所定の間隔（目地Ｓ）が設けられ、目違いすることなく容易に建築用化粧材２０を配置することができる。言い換えると、目地Ｓを設ける時には、ジョイントピン１０を一方の建築用化粧材２０Ａからの露出寸法を長く（多く）なるように圧入し、露出した長い部分を他方の建築用化粧材２０Ｂに差し込めば良い。なお、ジョイントピン１０は、一方のテーパ部１２ａ側を挿入するためにペンチやプライヤ等で他方のテーパ部１２ｂ側を把持し、螺旋突条１３をビスホール２１に螺入しても良い。また、建物躯体３０又は取付下地３０には、下地材を介して建築用化粧材２０を固定する方法や、受部材を介して建築用化粧材２０を嵌合固定する方法でもよく、建物躯体３０又は取付下地３０に固定する方法であれば、これに限定されない。
【００２３】
また、図４、図５に示すように、隣接する一方の建築用化粧材２０Ａ及び他方の建築用化粧材２０Ｂ間に間隔（目地Ｓ）を設けずに当接させる場合や、間隔（目地Ｓ）を僅かに設けて近接させる場合（図示せず）には、ジョイントピン１０の螺旋突条１３との距離が長い他方のテーパ部１２ｂ側から一方の建築用化粧材２０Ａのビスホール２１に挿入し、螺旋突条１３がビスホール２１に食い込むまで打ち込むことでビスホール２１の内部に圧入する。これにより、螺旋突条１３から距離の短い本体部１１及び一方のテーパ部１２ａの短い部分が露出した状態となるため、他方の建築用化粧材２０Ｂに間隔（目地Ｓ）を設けずに当接させたり、間隔（目地Ｓ）を僅かに設けて近接する構成においても、目違いすることなく容易に建築用化粧材２０を配置することができる。言い換えると、目地Ｓがない又は狭い時には、ジョイントピン１０を一方の建築用化粧材２０Ａからの露出寸法が短く（少なく）なるように圧入し、露出した短い部分を他方の建築用化粧材２０Ｂに差込めば良く、連結方法により使い分けが可能である。なお、間隔（目地Ｓ）を僅かに設けた構成は、上述の図２に示す間隔（目地Ｓ）よりは狭い間隔である。また、ジョイントピン１０は、他方のテーパ部１２ｂ側を挿入するためにペンチやプライヤ等で一方のテーパ部１２ａ側を把持し、螺旋突条１３をビスホール２１に螺入しても良い。
【００２４】
また、図６、図７に示すように、建物躯体３０又は取付下地３０の上下に対向する取付部材４０に建築用化粧材２０の端部を固定する場合、例えば、建築用化粧材２０の上端又は下端のビスホール２１にジョイントピン１０の他方のテーパ部１２ｂ側から挿入し、螺旋突条１３がビスホール２１に食い込むまで打ち込むことでビスホール２１の内部に圧入する。これにより、螺旋突条１３から距離の短い本体部１１及び一方のテーパ部１２ａの短い部分が露出した状態となり、露出した短い部分のジョイントピン１０は上又は下の取付部材４０に一方のテーパ部１２ａを差込むだけで建築用化粧材２０の位置が固定でき、容易に建築用化粧材２０を配置することができる。言い換えると、目地Ｓがない又は狭い時には、ジョイントピン１０を建築用化粧材２０からの露出寸法が短く（少なく）なるように圧入し、露出した短い部分を取付部材４０に差込めば良い。なお、ジョイントピン１０は、他方のテーパ部１２ｂ側を挿入するためにペンチやプライヤ等で一方のテーパ部１２ａ側を把持し、螺旋突条１３をビスホール２１に螺入しても良い。なお、ジョイントピン１０を取付部材４０からの露出寸法が短く（少なく）なるように圧入し、露出した短い部分を建築用化粧材２０に差込みしても良い。
【００２５】
以上説明したように、本実施形態によれば、建築用化粧材２０を建物躯体３０側又は取付下地３０に水平又は垂直方向に連続して配置するためのジョイントピン１０は、本体部１１と、本体部１１の両端が先端側に縮小する対のテーパ部１２とからなり、本体部１１の一部に螺旋突条１３を設け、隣接する建築用化粧材２０間に挿入されているため、挿入時に先端のテーパ部１２がガイドになり、ジョイントピン１０が建築用化粧材２０へスムーズに挿入される。さらに、本体部１１の一部に形成された螺旋突条１３が全周にあるため、建築用化粧材２０の挿入部に対してジョイントピン１０の向きに関係なく圧入又は螺入されてジョイントピン１０が固定され、固定されたジョイントピン１０により隣接する建築用化粧材２０間の挿入部の位置に誤差が生じていても、スムーズに挿入でき、作業が容易にできる。
【００２６】
また、建築用化粧材２０を建物躯体３０側又は取付下地３０の上下に対向する取付部材４０に両端部を固定して配置するためのジョイントピン１０は、本体部１１と、本体部１１の両端が先端側に縮小する対のテーパ部１２とからなり、本体部１１の一部に螺旋突条１３を設け、建築用化粧材２０又は取付部材４０間に挿入されているため、挿入時に先端のテーパ部１２がガイドになり、ジョイントピン１０が建築用化粧材２０又は取付部材４０へスムーズに挿入される。さらに、本体部１１の一部に形成された螺旋突条１３が全周にあるため、建築用化粧材２０又は取付部材４０の挿入部に対してジョイントピン１０の向きに関係なく圧入又は螺入されてジョイントピン１０が固定され、固定されたジョイントピン１０により建築用化粧材２０と取付部材４０間の挿入部の位置に誤差が生じていても、スムーズに挿入でき、作業が容易にできる。
【００２７】
また、螺旋突条１３は、一方のテーパ部１２ａ寄りに形成されているため、使用用途により挿入方向を変更することで建築用化粧材２０を連続又は固定でき、作業性が良い。
【００２８】
また、ジョイントピン１０は、一方のテーパ部１２ａ側から一方の建築用化粧材２０Ａのビスホール２１に打ち込んで挿入し、隣接する建築用化粧材２０間に所定の間隔を設けて配置するため、隣接する建築用化粧材２０間を目違いすることなく所定の目地Ｓを均一に設けることができるので、位置決め等の作業性が良く、意匠の統一感を損なわない。
【００２９】
また、ジョイントピン１０は、他方のテーパ部１２ｂ側から建築用化粧材２０又は取付部材４０のビスホール２１に打ち込んで挿入し、隣接する建築用化粧材２０間又は建築用化粧材２０と取付部材４０間に当接又は近接して配置するため、隣接する建築用化粧材２０間又は建築用化粧材２０と取付部材４０間を目違いすることなく、目地Ｓを設けない当接又は目地Ｓを僅かに設ける近接の位置に配置することができるので、位置決め等の作業性が良く、意匠の統一感を損なわない。
【符号の説明】
【００３０】
１０  ジョイントピン
１１  本体部
１２  テーパ部
１２ａ  一方のテーパ部
１２ｂ  他方のテーパ部
１３  螺旋突条
２０  建築用化粧材
２０Ａ  一方の建築用化粧材
２０Ｂ  他方の建築用化粧材
２１  ビスホール
３０  建物躯体（取付下地）
４０  取付部材
Ｓ  目地
【図１】
0003213176.tif 000003
【図２】
0003213176.tif 000004
【図３】
0003213176.tif 000005
【図４】
0003213176.tif 000006
【図５】
0003213176.tif 000007
【図６】
0003213176.tif 000008
【図７】
0003213176.tif 000009
【手続補正書】
【提出日】平成29年7月13日(2017.7.13)
【手続補正１】
【補正対象書類名】実用新案登録請求の範囲
【補正対象項目名】全文
【補正方法】変更
【補正の内容】
【実用新案登録請求の範囲】
【請求項１】
建築用化粧材を建物躯体側又は取付下地に水平又は垂直方向に連続して配置するためのジョイントピンにおいて、
前記ジョイントピンは、本体部と、
前記本体部の両端が先端側に縮小する対のテーパ部とからなり、
前記本体部の一部に螺旋突条を設け、隣接する前記建築用化粧材間に挿入されていることを特徴とする、建築用化粧材のジョイントピン。
【請求項２】
建築用化粧材を建物躯体側又は取付下地の上下に対向する取付部材に両端部を固定して配置するためのジョイントピンにおいて、
前記ジョイントピンは、本体部と、
前記本体部の両端が先端側に縮小する対のテーパ部とからなり、
前記本体部の一部に螺旋突条を設け、前記建築用化粧材又は前記取付部材間に挿入されていることを特徴とする、建築用化粧材のジョイントピン。
【請求項３】
前記螺旋突条は、一方の前記テーパ部寄りに形成されていることを特徴とする、請求項１又は２に記載の建築用化粧材のジョイントピン。
【請求項４】
前記ジョイントピンは、一方の前記テーパ部側から前記建築用化粧材のビスホールに打ち込んで挿入し、隣接する前記建築用化粧材間に所定の間隔を設けて配置することを特徴とする、請求項１又は３に記載の建築用化粧材のジョイントピン。
【請求項５】
前記ジョイントピンは、他方の前記テーパ部側から前記建築用化粧材のビスホールに打ち込んで挿入し、隣接する前記建築用化粧材間に当接又は近接して配置することを特徴とする、請求項１又は３に記載の建築用化粧材のジョイントピン。
【請求項６】
前記ジョイントピンは、他方の前記テーパ部側から前記建築用化粧材又は前記取付部材のビスホールに打ち込んで挿入し、前記建築用化粧材と前記取付部材間に当接又は近接して配置することを特徴とする、請求項２又は３に記載の建築用化粧材のジョイントピン。
【手続補正２】
【補正対象書類名】明細書
【補正対象項目名】全文
【補正方法】変更
【補正の内容】
【考案の詳細な説明】
【技術分野】
【０００１】
本考案は、建築用化粧材同士等を容易に連結するジョイントピンに関するものである。
【背景技術】
【０００２】
従来、同じ形材同士を長手方向に安定した連結作用により接続するために、例えば、特許文献１に記載されたような構造がある。すなわち、特許文献１には、カーテンボックスに条設したビスポートに対して挿入可能になり、且つビスポートのスリットに対して回動方向に係合する側条からなる回り止め手段を構成した主軸部の中央部に少なくとも１個の小突起を突設したカーテンボックス用ジョイントピンが開示されている。
【先行技術文献】
【特許文献】
【０００３】
【特許文献１】実用新案出願公告平５−２１４５号公報
【考案の概要】
【考案が解決しようとする課題】
【０００４】
しかし、上記したようなジョイントピンでは、ビスポートのスリットに対して側条からなる回り止め手段を係合しなければならず、同じ形材同士であるカーテンボックスのスリット位置の相違によりジョイントピンが挿入されないなどの問題があった。
【０００５】
そこで、本考案は、長手方向に隣接する形材同士の挿入部の位置に誤差が生じていても容易にジョイントピンが挿入でき、長手方向に統一感を失うことなく安定した連結が可能な建築用化粧材のジョイントピンを提供することを課題とする。
【課題を解決するための手段】
【０００６】
本考案は、上記した課題を解決するためになされたものであり、以下を特徴とする。
請求項１に記載の考案は、建築用化粧材を建物躯体側又は取付下地に水平又は垂直方向に連続して配置するためのジョイントピンにおいて、前記ジョイントピンは、本体部と、前記本体部の両端が先端側に縮小する対のテーパ部とからなり、前記本体部の一部に螺旋突条を設け、隣接する前記建築用化粧材間に挿入されていることを特徴とする。
【０００７】
請求項２に記載の考案は、建築用化粧材を建物躯体側又は取付下地の上下に対向する取付部材に両端部を固定して配置するためのジョイントピンにおいて、前記ジョイントピンは、本体部と、前記本体部の両端が先端側に縮小する対のテーパ部とからなり、前記本体部の一部に螺旋突条を設け、前記建築用化粧材又は前記取付部材間に挿入されていることを特徴とする。
【０００８】
請求項３に記載の考案は、請求項１又は２に記載の考案の特徴点に加え、前記螺旋突条は、一方の前記テーパ部寄りに形成されていることを特徴とする。
【０００９】
請求項４に記載の考案は、請求項１又は３に記載の考案の特徴点に加え、前記ジョイントピンは、一方の前記テーパ部側から前記建築用化粧材のビスホールに打ち込んで挿入し、隣接する前記建築用化粧材間に所定の間隔を設けて配置することを特徴とする。
【００１０】
請求項５に記載の考案は、請求項１又は３に記載の考案の特徴点に加え、前記ジョイントピンは、他方の前記テーパ部側から前記建築用化粧材のビスホールに打ち込んで挿入し、隣接する前記建築用化粧材間に当接又は近接して配置することを特徴とする。
請求項６に記載の考案は、請求項２又は３に記載の考案の特徴点に加え、前記ジョイントピンは、他方の前記テーパ部側から前記建築用化粧材又は前記取付部材のビスホールに打ち込んで挿入し、前記建築用化粧材と前記取付部材間に当接又は近接して配置することを特徴とする。
【考案の効果】
【００１１】
請求項１記載の考案は上記の通りであり、建築用化粧材を建物躯体側又は取付下地に水平又は垂直方向に連続して配置するためのジョイントピンにおいて、ジョイントピンは、本体部と、本体部の両端が先端側に縮小する対のテーパ部とからなり、本体部の一部に螺旋突条を設け、隣接する建築用化粧材間に挿入されているため、挿入時に先端のテーパ部がガイドになり、ジョイントピンが建築用化粧材へスムーズに挿入される。さらに、本体部の一部に形成された螺旋突条が全周にあるため、建築用化粧材の挿入部に対してジョイントピンの向きに関係なく圧入又は螺入されてジョイントピンが固定され、固定されたジョイントピンにより隣接する建築用化粧材間の挿入部の位置に誤差が生じていても、スムーズに挿入でき、作業が容易にできる。
【００１２】
請求項２に記載の考案は上記の通りであり、建築用化粧材を建物躯体側又は取付下地の上下に対向する取付部材に両端部を固定する配置するためのジョイントピンにおいて、ジョイントピンは、本体部と、本体部の両端が先端側に縮小する対のテーパ部とからなり、本体部の一部に螺旋突条を設け、建築用化粧材又は取付部材間に挿入されているため、挿入時に先端のテーパ部がガイドになり、ジョイントピンが建築用化粧材又は取付部材へスムーズに挿入される。さらに、本体部の一部に形成された螺旋突条が全周にあるため、建築用化粧材又は取付部材の挿入部に対してジョイントピンの向きに関係なく圧入又は螺入されてジョイントピンが固定され、固定されたジョイントピンにより建築用化粧材と取付部材間の挿入部の位置に誤差が生じていても、スムーズに挿入でき、作業が容易にできる。
【００１３】
請求項３に記載の考案は上記の通りであり、螺旋突条は、一方の前記テーパ部寄りに形成されているため、使用用途により挿入方向を変更することで建築用化粧材を連続又は固定でき、作業性が良い。
【００１４】
請求項４に記載の考案は上記の通りであり、ジョイントピンは、一方のテーパ部側から建築用化粧材のビスホールに打ち込んで挿入し、隣接する建築用化粧材間に所定の間隔を設けて配置するため、隣接する建築用化粧材間を目違いすることなく所定の目地を均一に設けることができるので、位置決め等の作業性が良く、意匠の統一感を損なわない。
【００１５】
請求項５に記載の考案は上記の通りであり、ジョイントピンは、他方のテーパ部側から建築用化粧材のビスホールに打ち込んで挿入し、隣接する建築用化粧材間に当接又は近接して配置するため、隣接する建築用化粧材間を目違いすることなく、目地を設けない当接又は目地を僅かに設ける近接の位置に配置をすることができるので、位置決め等の作業性が良く、意匠の統一感を損なわない。
請求項６に記載の考案は上記の通りであり、ジョイントピンは、他方のテーパ部側から建築用化粧材又は取付部材のビスホールに打ち込んで挿入し、建築用化粧材と取付部材間に当接又は近接して配置するため、建築用化粧材と取付部材間を目違いすることなく、目地を設けない当接又は目地を僅かに設ける近接の位置に配置をすることができるので、位置決め等の作業性が良く、意匠の統一感を損なわない。
【図面の簡単な説明】
【００１６】
【図１】ジョイントピンの正面図である。
【図２】隣接する建築用化粧材間に目地を設けて建物躯体に配設した図である。
【図３】図２の建築用化粧材にジョイントピンを挿入する方法を示す図である。
【図４】隣接する建築用化粧材間を当接させて建物躯体に配設した図である。
【図５】図４の建築用化粧材にジョイントピンを挿入する方法を示す図である。
【図６】（ａ）は、建築用化粧材を異なる方法で建物躯体に配設した図、（ｂ）は、（ａ）の一部拡大図である。
【図７】図６の建築用化粧材にジョイントピンを挿入する方法を示す図である。
【考案を実施するための形態】
【００１７】
本考案の実施形態について、図を参照しつつ説明する。
【００１８】
本実施形態に係るジョイントピン１０は、例えば、長手方向に隣接する建築用化粧材２０間を接続するためのものである。このジョイントピン１０は、図１に示すように、本体部１１と、本体部１１の両端が先端側に縮小する対のテーパ部１２（一方のテーパ部１２ａ及び他方のテーパ部１２ｂ）と、本体部１１の一部に形成された螺旋突条１３と、を備えて構成される。このジョイントピン１０を、図２乃至図５に示すように、建築用化粧材２０（一方の建築用化粧材２０Ａ及び他方の建築用化粧材２０Ｂ）間を連結、あるいは図６及び図７に示すように、建築用化粧材２０の端部と取付部材４０を当接又は近接して使用されるものである。
【００１９】
ジョイントピン１０は、図２乃至図７に示すように、建築用化粧材２０又は取付部材４０のビスホール２１に挿入して使用する部材である。本実施形態に係るジョイントピン１０は、図１に示すように、円柱型の本体部１１と、本体部１１の一方の端部が先端側に縮小する円錐台型の一方のテーパ部１２ａと、本体部１１の他方の端部が先端側に縮小する円錐台型の他方のテーパ部１２ｂと、本体部１１の中央より一方のテーパ部１２ａ寄りの外周に形成された螺旋状の螺旋突条１３とで構成されている。この本体部１１と螺旋突条１３の外径及び建築用化粧材２０又は取付部材４０のビスホール２１の内径は、本体部１１＜ビスホール２１＜螺旋突条１３となっている。そのため、挿入したジョイントピン１０は、一方の建築用化粧材２０Ａのビスホール２１に螺旋突条１３が食い込んで圧入又は螺入され、他方の建築用化粧材２０Ｂ又は取付部材４０のビスホール２１に本体部１１が抜き差し可能になっていて位置決めがし易い。なお、本実施形態に係る建築用化粧材２０はルーバー材であるが、これに限らず、長手方向に連続又は位置決めする建築用化粧材に使用できる。
【００２０】
このテーパ部１２は、図１に示すように、ジョイントピン１０の両端部が先端側に向けて外径が小さくなる円錐台型になっているため、建築用化粧材２０又は取付部材４０のビスホール２１へ挿入する際のガイドになり、ジョイントピン１０をスムーズにビスホール２１の内部へ挿入することができる。
【００２１】
また、本体部１１の螺旋突条１３は、図１に示すように、本体部１１の中央より一方のテーパ部１２ａ寄りに形成されているため、一方のテーパ部１２ａと螺旋突条１３間又は他方のテーパ部１２ｂと螺旋突条１３間とでは、図１の左右方向において、一方のテーパ部１２ａと螺旋突条１３間の方が短く、他方のテーパ部１２ｂと螺旋突条１３間の方が長い構成となっている。これにより、図２に示すように、一方の建築用化粧材２０Ａと他方の建築用化粧材２０Ｂ間に所定の間隔（目地Ｓ）を設けた構成にしたり、図４に示すように、一方の建築用化粧材２０Ａと他方の建築用化粧材２０Ｂ間に間隔（目地Ｓ）を設けずに当接させた構成又は目地を僅かに設けて近接させた構成（図示せず）が同一のジョイントピン１０で行うことができる。
【００２２】
上記したようなジョイントピン１０に係る本実施形態においては、図２、図３に示すように、建物躯体３０側又は取付下地３０に水平又は垂直に取付けられた一方の建築用化粧材２０Ａのビスホール２１に、ジョイントピン１０の一方のテーパ部１２ａ側から挿入し、螺旋突条１３がビスホール２１に食い込むまで打ち込むことでビスホール２１の内部に圧入する。この状態から、他方の建築用化粧材２０Ｂのビスホール２１に、ジョイントピン１０の他方のテーパ部１２ｂ側を差し込み、所定の間隔（目地Ｓ）を設けた位置で建物躯体３０側又は取付下地３０に取付ける。これにより、隣接する一方の建築用化粧材２０Ａ及び他方の建築用化粧材２０Ｂ間には、所定の間隔（目地Ｓ）が設けられ、目違いすることなく容易に建築用化粧材２０を配置することができる。言い換えると、目地Ｓを設ける時には、ジョイントピン１０を一方の建築用化粧材２０Ａからの露出寸法を長く（多く）なるように圧入し、露出した長い部分を他方の建築用化粧材２０Ｂに差し込めば良い。
なお、ジョイントピン１０は、一方のテーパ部１２ａ側を挿入するためにペンチやプライヤ等で他方のテーパ部１２ｂ側を把持し、螺旋突条１３をビスホール２１に螺入しても良い。また、建物躯体３０又は取付下地３０には、下地材を介して建築用化粧材２０を固定する方法や、受部材を介して建築用化粧材２０を嵌合固定する方法でもよく、建物躯体３０又は取付下地３０に固定する方法であれば、これに限定されない。
【００２３】
また、図４、図５に示すように、隣接する一方の建築用化粧材２０Ａ及び他方の建築用化粧材２０Ｂ間に間隔（目地Ｓ）を設けずに当接させる場合や、間隔（目地Ｓ）を僅かに設けて近接させる場合（図示せず）には、ジョイントピン１０の螺旋突条１３との距離が長い他方のテーパ部１２ｂ側から一方の建築用化粧材２０Ａのビスホール２１に挿入し、螺旋突条１３がビスホール２１に食い込むまで打ち込むことでビスホール２１の内部に圧入する。これにより、螺旋突条１３から距離の短い本体部１１及び一方のテーパ部１２ａの短い部分が露出した状態となるため、他方の建築用化粧材２０Ｂに間隔（目地Ｓ）を設けずに当接させたり、間隔（目地Ｓ）を僅かに設けて近接する構成においても、目違いすることなく容易に建築用化粧材２０を配置することができる。言い換えると、目地Ｓがない又は狭い時には、ジョイントピン１０を一方の建築用化粧材２０Ａからの露出寸法が短く（少なく）なるように圧入し、露出した短い部分を他方の建築用化粧材２０Ｂに差込めば良く、連結方法により使い分けが可能である。なお、間隔（目地Ｓ）を僅かに設けた構成は、上述の図２に示す間隔（目地Ｓ）よりは狭い間隔である。また、ジョイントピン１０は、他方のテーパ部１２ｂ側を挿入するためにペンチやプライヤ等で一方のテーパ部１２ａ側を把持し、螺旋突条１３をビスホール２１に螺入しても良い。
【００２４】
また、図６、図７に示すように、建物躯体３０又は取付下地３０の上下に対向する取付部材４０に建築用化粧材２０の端部を固定する場合、例えば、建築用化粧材２０の上端又は下端のビスホール２１にジョイントピン１０の他方のテーパ部１２ｂ側から挿入し、螺旋突条１３がビスホール２１に食い込むまで打ち込むことでビスホール２１の内部に圧入する。これにより、螺旋突条１３から距離の短い本体部１１及び一方のテーパ部１２ａの短い部分が露出した状態となり、露出した短い部分のジョイントピン１０は上又は下の取付部材４０に一方のテーパ部１２ａを差込むだけで建築用化粧材２０の位置が固定でき、容易に建築用化粧材２０を配置することができる。言い換えると、目地Ｓがない又は狭い時には、ジョイントピン１０を建築用化粧材２０からの露出寸法が短く（少なく）なるように圧入し、露出した短い部分を取付部材４０に差込めば良い。なお、ジョイントピン１０は、他方のテーパ部１２ｂ側を挿入するためにペンチやプライヤ等で一方のテーパ部１２ａ側を把持し、螺旋突条１３をビスホール２１に螺入しても良い。なお、ジョイントピン１０を取付部材４０からの露出寸法が短く（少なく）なるように圧入し、露出した短い部分を建築用化粧材２０に差込みしても良い。
【００２５】
以上説明したように、本実施形態によれば、建築用化粧材２０を建物躯体３０側又は取付下地３０に水平又は垂直方向に連続して配置するためのジョイントピン１０は、本体部１１と、本体部１１の両端が先端側に縮小する対のテーパ部１２とからなり、本体部１１の一部に螺旋突条１３を設け、隣接する建築用化粧材２０間に挿入されているため、挿入時に先端のテーパ部１２がガイドになり、ジョイントピン１０が建築用化粧材２０へスムーズに挿入される。さらに、本体部１１の一部に形成された螺旋突条１３が全周にあるため、建築用化粧材２０の挿入部に対してジョイントピン１０の向きに関係なく圧入又は螺入されてジョイントピン１０が固定され、固定されたジョイントピン１０により隣接する建築用化粧材２０間の挿入部の位置に誤差が生じていても、スムーズに挿入でき、作業が容易にできる。
【００２６】
また、建築用化粧材２０を建物躯体３０側又は取付下地３０の上下に対向する取付部材４０に両端部を固定して配置するためのジョイントピン１０は、本体部１１と、本体部１１の両端が先端側に縮小する対のテーパ部１２とからなり、本体部１１の一部に螺旋突条１３を設け、建築用化粧材２０又は取付部材４０間に挿入されているため、挿入時に先端のテーパ部１２がガイドになり、ジョイントピン１０が建築用化粧材２０又は取付部材４０へスムーズに挿入される。さらに、本体部１１の一部に形成された螺旋突条１３が全周にあるため、建築用化粧材２０又は取付部材４０の挿入部に対してジョイントピン１０の向きに関係なく圧入又は螺入されてジョイントピン１０が固定され、固定されたジョイントピン１０により建築用化粧材２０と取付部材４０間の挿入部の位置に誤差が生じていても、スムーズに挿入でき、作業が容易にできる。
【００２７】
また、螺旋突条１３は、一方のテーパ部１２ａ寄りに形成されているため、使用用途により挿入方向を変更することで建築用化粧材２０を連続又は固定でき、作業性が良い。
【００２８】
また、ジョイントピン１０は、一方のテーパ部１２ａ側から一方の建築用化粧材２０Ａのビスホール２１に打ち込んで挿入し、隣接する建築用化粧材２０間に所定の間隔を設けて配置するため、隣接する建築用化粧材２０間を目違いすることなく所定の目地Ｓを均一に設けることができるので、位置決め等の作業性が良く、意匠の統一感を損なわない。
【００２９】
また、ジョイントピン１０は、他方のテーパ部１２ｂ側から建築用化粧材２０又は取付部材４０のビスホール２１に打ち込んで挿入し、隣接する建築用化粧材２０間又は建築用化粧材２０と取付部材４０間に当接又は近接して配置するため、隣接する建築用化粧材２０間又は建築用化粧材２０と取付部材４０間を目違いすることなく、目地Ｓを設けない当接又は目地Ｓを僅かに設ける近接の位置に配置することができるので、位置決め等の作業性が良く、意匠の統一感を損なわない。
【符号の説明】
【００３０】
１０  ジョイントピン
１１  本体部
１２  テーパ部
１２ａ  一方のテーパ部
１２ｂ  他方のテーパ部
１３  螺旋突条
２０  建築用化粧材
２０Ａ  一方の建築用化粧材
２０Ｂ  他方の建築用化粧材
２１  ビスホール
３０  建物躯体（取付下地）
４０  取付部材
Ｓ  目地
【手続補正書】
【提出日】平成29年8月23日(2017.8.23)
【手続補正１】
【補正対象書類名】実用新案登録請求の範囲
【補正対象項目名】請求項６
【補正方法】変更
【補正の内容】
【請求項６】
前記ジョイントピンは、他方の前記テーパ部側から前記建築用化粧材又は前記取付部材のビスホールに打ち込んで挿入し、前記建築用化粧材と前記取付部材間に当接又は近接して配置することを特徴とする、請求項２記載の建築用化粧材のジョイントピン。